(57)【特許請求の範囲】
【請求項１】
横断面矩形形状を有し、側面全周を空気吸込口（６），（６）・・としたケーシング（１）と、前記空気吸込口（６），（６）・・に対向してその開放側が相対向するように配設された２個の横断面コの字型の熱交換器（３），（３）と、前記ケーシング（１）内の最上部であって前記熱交換器（３），（３）に対応した位置に配設された上吹きタイプの２個のファン（２），（２）とを備えた空気調和機用室外機であって、前記ケーシング（１）を、前記熱交換器（３），（３）および前記ファン（２），（２）の一つずつをそれぞれ内蔵するとともに前記熱交換器（３），（３）の開放側が互いに対向した状態で且つ該熱交換器（３），（３）内が連通状態とされるように二つの分割ケーシング（１０），（１０）を連結して構成したことを特徴とする空気調和機用室外機。
【請求項２】
前記ケーシング（１）の下部には、圧縮機等を配設する機械室（１１）を構成するとともに、該機械室（１１）を、前記分割ケーシング（１０），（１０）と一体構成の分割機械室（１３），（１３）を連結して構成したことを特徴とする前記請求項１記載の空気調和機用室外機。
【請求項３】
前記各分割機械室（１３）には、圧縮機（１２）をそれぞれ配設したことを特徴とする前記請求項２記載の空気調和機用室外機。
【発明の詳細な説明】
【０００１】
【発明の属する技術分野】
【０００２】
本願発明は、上吹き型の空気調和機用室外機に関するものである。
【従来の技術】
【０００３】
近年、エネルギー資源問題・地球温暖化問題を背景とし、エネルギー機器の効率向上が重要課題とされる中、空気調和機用室外機もその省エネ性を向上させることが急務とされている。空気調和機用室外機の場合、熱交換器の面積を増大させて熱交換能力を高めることが省エネ性向上に有効な手段となることが多い。
【０００４】
ところで、比較的大型の空気調和機用に使用されることが多い室外機としては、例えば、ケーシングの下部に機械室を、上部に熱交換室を、最上部に軸流型のファンを備えた上吹き型の空気調和機用室外機がある（特開２００１−２０１１１１号公報参照）。
【発明が解決しようとする課題】
【０００５】
ところで、この種の上吹き型室外機は、単独で設置されることもあるが、それ以外に、複数台の室外機を連結設置し、連結する台数を変化させることで様々な容量の空調設備を作り出すことができるように設計されることが多い。これは、多くの容量毎に室外機を設計する必要がなくなるため、非常に有効な方法である。このとき、最小容量は当然、室外機を１台で用いた場合となる。それ以上は、１台当たりの容量の整数倍となるため、数多くの容量を構成できるようにするためには、最小単位となる室外機１台の容量を小さくしておく必要がある。ただし、あまり小さくしすぎると、大容量の室外機とする際、連結台数が多くなりすぎるという問題がある。
【０００６】
これらを解決するため、同一ケーシングで、熱交換器の大きさを変化させることにより、複数の能力をもつ室外機を準備しておくのが、一般的となっている。例えば、５ＨＰ、８ＨＰ、１０ＨＰを同一のケーシングで構成することとなっている。しかしながら、このように構成した場合、同一のケーシングで構成する室外機の容量の差が大きくなりすぎると、小容量の室外機にとってケーシングが無駄に大きくなってしまうという問題が生じ、同一のケーシングで容量を変化させるには限界があった。してみれば、製造性や市場の要求等で基本容量を決定しておき、それ以下の容量の室外機については、基本容量の室外機の部品を利用し、その半分の容量の室外機をなるべく簡単に製造できるようにすることが望ましい。  例えば、省エネ性の高い形態の一つである上記公知例（即ち、特開２００１−２０１１１１号公報）記載の室外機に上記した構造を適用しようとすると、上記公知例の室外機における熱交換器が、一対の横断面Ｌ字形状の熱交換器を対向して構成されているため、半分の容量の室外機とする場合、別の寸法の熱交換器を準備しておく必要があり、製造コストが上昇するという問題が派生する。
【０００７】
本願発明は、上記の点に鑑みてなされたもので、省エネ性の向上を図るために熱交換面積を可及的に大きく確保するとともに、室外機の構成部品の設計変更を行うことなく、その略半分の容量の室外機を容易に製造できるようにすることを目的とするものである。
【課題を解決するための手段】
【０００８】
請求項１の発明では、上記課題を解決するための手段として、横断面矩形形状を有し、側面全周を空気吸込口６，６・・としたケーシング１と、前記空気吸込口６，６・・に対向してその開放側が相対向するように配設された２個の横断面コの字型の熱交換器３，３と、前記ケーシング１内の最上部であって前記熱交換器３，３に対応した位置に配設された上吹きタイプの２個のファン２，２とを備えた空気調和機用室外機において、前記ケーシング１を、前記熱交換器３，３および前記ファン２，２の一つずつをそれぞれ内蔵するとともに前記熱交換器３，３の開放側が互いに対向した状態で且つ該熱交換器３，３内が連通状態とされるように二つの分割ケーシング１０，１０を連結して構成している。
【０００９】
上記のように構成したことにより、横断面コの字型の熱交換器３および上吹きタイプのファン２をそれぞれ内蔵した分割ケーシング１０，１０を連結することにより、ケーシング１の側面全周に形成された空気吸込口６，６・・に対向してその開放側が相対向し且つ内部が連通状態とされるように配設された２個の横断面コの字型の熱交換器３，３を有する空気調和機用室外機を構成することができることとなり、熱交換面積を可及的に大きく確保することができる。また、横断面コの字型の熱交換器３および上吹きタイプのファン２を内蔵した分割ケーシング１０によって略半分の容量（即ち、最小容量）を有する室外機Ａ′を容易に製造することもできる。
【００１０】
請求項２の発明におけるように、請求項１記載の空気調和機用室外機において、前記ケーシング１の下部に、圧縮機等を配設する機械室１１を構成するとともに、該機械室１１を、前記分割ケーシング１０，１０と一体構成の分割機械室１３，１３を連結して構成した場合、熱交換器３，３、ファン２，２および機械室１１を具備した室外機Ａを分割ケーシング１０，１０の連結と同時に構成できることとなり、製造コストを低減できる。
【００１１】
請求項３の発明におけるように、請求項２記載の空気調和機用室外機において、前記各分割機械室１３に、圧縮機１２をそれぞれ配設した場合、分割ケーシング１０内に内蔵される各熱交換器３の能力に対応した圧縮機１２が、分割ケーシング１０と一体構成の各分割機械室１３に配設できることとなり、最小容量の室外機Ａ′の設計が容易となる。
【発明の実施の形態】
【００１２】
以下、添付の図面を参照して、本願発明の好適な実施の形態について詳述する。
【００１３】
この空気調和機用室外機Ａは、横断面矩形形状を有し、図１および図２に示すように、側面全周（換言すれば、４側面）を空気吸込口６，６・・としたケーシング１と、前記空気吸込口６，６・・に対向してその開放側が相対向するように配設された２個の横断面コの字型の熱交換器３，３と、前記ケーシング１内の最上部であって前記熱交換器３，３に対応した位置に配設された上吹きタイプの２個のファン２，２とを備えて構成されている。符号８は空気吹出口、９は冷媒配管である。上記熱交換器３は、クロスフィンコイルタイプの熱交換器をコの字形状に屈曲して形成される。
【００１４】
そして、前記ケーシング１は、図３および図４に示すように、前記熱交換器３，３および前記ファン２，２の一つずつをそれぞれ内蔵する二つの分割ケーシング１０，１０を連結して構成されている。
【００１５】
また、前記ケーシング１の下部には、圧縮機１２等を配設する機械室１１が構成されており、該機械室１１は、前記分割ケーシング１０，１０と一体構成の分割機械室１３，１３を連結して構成されている。なお、機械室１１の天板１１ａは、熱交換器３からの落下するドレンを受け止めるためのドレンパンを兼用している。符号１４はファン２のファンモータ２ａを取付支持する取付ステー、１５はケーシング１の角隅部においてケーシング天板１ａと機械室天板１１ａとを連結する支持板、１６は熱交換器３，３の端部同士の隙間をカバーすべく分割ケーシング天板１０ａと分割機械室天板１３ａとを連結するカバー板である。
【００１６】
上記のように構成したことにより、横断面コの字型の熱交換器３および上吹きタイプのファン２を内蔵した分割ケーシング１０を連結することにより、ケーシング１の側面全周に形成された空気吸込口６，６・・に対向してその開放側が相対向し且つ内部が連通状態とされるように配設された２個の横断面コの字型の熱交換器３，３を有する空気調和機用室外機を構成することができることとなり、熱交換面積を可及的に大きく確保することができる。従って、ケーシング１の側面全周（即ち、４面）からの吸込空気Ｗが熱交換器３，３を通過することとなり、高い熱交換能力を確保することができるのである。また、横断面コの字型の熱交換器３および上吹きタイプのファン２を内蔵した分割ケーシング１０によって略半分の容量を有する最小容量の室外機Ａ′を容易に製造することもできる。
【００１７】
ところで、前記最小容量の室外機Ａ′は、二つを連結して室外機Ａを構成することとなっているため、図３に示すように、熱交換器３の開放端側および分割機械室１３の一面（即ち、熱交換器３の開放端側側と対応する一面）が開放状態とされ、開口部１７，１８が形成されることとなっているが、この室外機Ａ′を単独で室外機として使用する場合には、前記開口部１７，１８は仕切板１９，２０で閉鎖される。そのために、前記各カバー板１６には、前記開口部１７に臨むリブ２１がそれぞれ一体に延設されており、該リブ２１，２１を仕切板１９の取付板として利用するようになっている。なお、分割機械室１３側においても、図示省略されているが、仕切板２０を取り付けるための取付板が形成されていることは勿論である。また、前記リブ２１，２１および分割機械室１３側の取付板は、分割ケーシング１０，１０を連結する際の接合部としても作用する。
【００１８】
本実施の形態においては、機械室１１を、分割ケーシング１０，１０と一体構成の分割機械室１３，１３を連結して構成するようにしているため、熱交換器３，３、ファン２，２および機械室１１を具備した室外機Ａを分割ケーシング１０，１０の連結と同時に構成できることとなり、製造コストを低減できるし、その場合、各分割機械室１３に、圧縮機１２をそれぞれ配設するようにすれば、分割ケーシング１内に内蔵される各熱交換器３の能力に対応した圧縮機１２が、分割ケーシング１０，１０と一体構成の各分割機械室１３，１３に配設できることとなり、最小容量の室外機Ａ′の設計が容易となる。
【００１９】
上記構成の空気調和機用室外機Ａは、圧縮機１２を具備しているが、本願発明は、圧縮機を具備しないリモートコンデンサタイプの室外機にも適用可能である。
【発明の効果】
【００２０】
請求項１の発明によれば、横断面矩形形状を有し、側面全周を空気吸込口６，６・・としたケーシング１と、前記空気吸込口６，６・・に対向してその開放側が相対向するように配設された２個の横断面コの字型の熱交換器３，３と、前記ケーシング１内の最上部であって前記熱交換器３，３に対応した位置に配設された上吹きタイプの２個のファン２，２とを備えた空気調和機用室外機において、前記ケーシング１を、前記熱交換器３，３および前記ファン２，２の一つずつをそれぞれ内蔵するとともに前記熱交換器３，３の開放側が互いに対向した状態で且つ該熱交換器３，３内が連通状態とされるように二つの分割ケーシング１０，１０を連結して構成しているので、横断面コの字型の熱交換器３および上吹きタイプのファン２をそれぞれ内蔵した分割ケーシング１０，１０を連結することにより、ケーシング１の側面全周に形成された空気吸込口６，６・・に対向してその開放側が相対向し且つ内部が連通状態とされるように配設された２個の横断面コの字型の熱交換器３，３を有する空気調和機用室外機を構成することができることとなり、熱交換面積を可及的に大きく確保することができるという効果がある。また、横断面コの字型の熱交換器３および上吹きタイプのファン２を内蔵した分割ケーシング１０によって略半分の容量（即ち、最小容量）を有する室外機Ａ′を容易に製造することもできるという効果もある。
【００２１】
請求項２の発明におけるように、請求項１記載の空気調和機用室外機において、前記ケーシング１の下部に、圧縮機等を配設する機械室１１を構成するとともに、該機械室１１を、前記分割ケーシング１０，１０と一体構成の分割機械室１３，１３を連結して構成した場合、熱交換器３，３、ファン２，２および機械室１１を具備した室外機Ａを分割ケーシング１０，１０の連結と同時に構成できることとなり、製造コストを低減できる。
【００２２】
請求項３の発明におけるように、請求項２記載の空気調和機用室外機において、前記各分割機械室１３に、圧縮機１２をそれぞれ配設した場合、分割ケーシング１０内に内蔵される各熱交換器３の能力に対応した圧縮機１２が、分割ケーシング１０と一体構成の各分割機械室１３に配設できることとなり、最小容量の室外機Ａ′の設計が容易となる。
【図面の簡単な説明】
【図１】  本願発明の実施の形態にかかる空気調和機用室外機の斜視図である。
【図２】  本願発明の実施の形態にかかる空気調和機用室外機の横断平面図である。
【図３】  本願発明の実施の形態にかかる空気調和機用室外機における最小容量の室外機の斜視図である。
【図４】  図３のＩＶ−ＩＶ拡大断面図である。
【符号の説明】
１はケーシング、２はファン、３は熱交換器、６は空気吸込口、１０は分割ケーシング、１１は機械室、１２は圧縮機、１３は分割機械室、Ａは空気調和機用室外機、Ａ′は最小容量の室外機。
【図１】
0004261109.tif 000002
【図２】
0004261109.tif 000003
【図３】
0004261109.tif 000004
【図４】
0004261109.tif 000005